(57)【特許請求の範囲】
【請求項１】
複数の原色光の発光源を備えた誘導灯の広範囲な年齢層に対する視認性を向上させるための誘導灯駆動方法であって、
各年齢層固有の視覚的な特性に合致する、前記各年齢層ごとの視認性を特徴付ける光についての属性を記憶するステップと、
前記記憶した前記各年齢層ごとの視認性を特徴付ける光についての属性をもとに、前記誘導灯の複数の原色光の発光源を制御し、前記広範囲な年齢層に対する視認性を向上させた光を発生させるステップとを備え、
前記各年齢層ごとの視認性を特徴付ける光についての属性は、前記各年齢層固有の視覚的な特性に合致する、年齢層ごとの視認性を特徴付ける色相を含み、
前記広範囲な年齢層に対する視認性を向上させた光を発生させるステップは、前記発光源から発せられる各原色光の強さを調整する制御を前記複数の原色光の発光源に対し行い、前記各年齢層固有の視覚的な特性に合致する、年齢層ごとの視認性を特徴付ける色相の光を、前記年齢層ごとに異なるタイミングで発生させる、
ことを特徴とする誘導灯駆動方法。
【請求項２】
複数の原色光の発光源を備えた誘導灯の広範囲な年齢層に対する視認性を向上させるための誘導灯駆動方法であって、
各年齢層固有の視覚的な特性に合致する、前記各年齢層ごとの視認性を特徴付ける光についての属性を記憶するステップと、
前記記憶した前記各年齢層ごとの視認性を特徴付ける光についての属性をもとに、前記誘導灯の複数の原色光の発光源を制御し、前記広範囲な年齢層に対する視認性を向上させた光を発生させるステップとを備え、
前記各年齢層ごとの視認性を特徴付ける光についての属性は、前記各年齢層固有の視覚的な特性に合致する、年齢層ごとの視認性を特徴付ける色相と、その色相の光が発光する繰り返し周期とを含み、
前記広範囲な年齢層に対する視認性を向上させた光を発生させるステップは、前記発光源から発せられる各原色光の強さと発光のタイミングとを調整する制御を前記複数の原色光の発光源に対し行い、前記各年齢層固有の視覚的な特性に合致する、年齢層ごとの視認性を特徴付ける色相の光を、前記年齢層ごとに異なるタイミングと前記繰り返し周期で発生させる、
ことを特徴とする誘導灯駆動方法。
【請求項３】
複数の原色光の発光源を備えた誘導灯の広範囲な年齢層に対する視認性を向上させるための誘導灯駆動方法であって、
各年齢層固有の視覚的な特性に合致する、前記各年齢層ごとの視認性を特徴付ける光についての属性を記憶するステップと、
前記記憶した前記各年齢層ごとの視認性を特徴付ける光についての属性をもとに、前記誘導灯の複数の原色光の発光源を制御し、前記広範囲な年齢層に対する視認性を向上させた光を発生させるステップとを備え、
前記各年齢層ごとの視認性を特徴付ける光についての属性は、前記各年齢層固有の視覚的な特性に合致する、年齢層ごとの視認性を特徴付ける色相と、その色相の光が発光する繰り返し周期と、発光期間とを含み、
前記広範囲な年齢層に対する視認性を向上させた光を発生させるステップは、前記発光源から発せられる各原色光の強さと発光のタイミングとを調整する制御を、前記複数の原色光の発光源に対し行い、前記各年齢層固有の視覚的な特性に合致する、年齢層ごとの視認性を特徴付ける色相の光を、前記年齢層ごとに異なるタイミングと前記繰り返し周期と前記発光期間で発生させる、
ことを特徴とする誘導灯駆動方法。
【請求項４】
複数の原色光の発光源を備えた誘導灯の誘導灯駆動装置であって、
各年齢層固有の視覚的な特性に合致する、前記各年齢層ごとの視認性を特徴付ける光についての属性を記憶する記憶手段と、
前記記憶手段に記憶した前記各年齢層ごとの視認性を特徴付ける光についての属性をもとに、前記誘導灯の複数の原色光の発光源を制御し、前記各年齢層を含む広範囲な年齢層に対する視認性を向上させた光を発生させる発光源制御手段とを備え、
前記各年齢層ごとの視認性を特徴付ける光についての属性は、前記各年齢層固有の視覚的な特性に合致する、年齢層ごとの視認性を特徴付ける色相を含み、
前記発光源制御手段は、前記発光源から発せられる各原色光の強さを調整する制御を前記複数の原色光の発光源に対し行い、前記各年齢層固有の視覚的な特性に合致する、年齢層ごとの視認性を特徴付ける色相の光を、前記年齢層ごとに異なるタイミングで発生させ、前記各年齢層を含む広範囲な年齢層に対する視認性を向上させた光を発生させる、
ことを特徴とする誘導灯駆動装置。
【請求項５】
複数の原色光の発光源を備えた誘導灯の誘導灯駆動装置であって、
各年齢層固有の視覚的な特性に合致する、前記各年齢層ごとの視認性を特徴付ける光についての属性を記憶する記憶手段と、
前記記憶手段に記憶した前記各年齢層ごとの視認性を特徴付ける光についての属性をもとに、前記誘導灯の複数の原色光の発光源を制御し、前記各年齢層を含む広範囲な年齢層に対する視認性を向上させた光を発生させる発光源制御手段とを備え、
前記各年齢層ごとの視認性を特徴付ける光についての属性は、前記各年齢層固有の視覚的な特性に合致する、年齢層ごとの視認性を特徴付ける色相と、その色相の光が発光する繰り返し周期とを含み、
前記発光源制御手段は、前記発光源から発せられる各原色光の強さと発光のタイミングとを調整する制御を前記複数の原色光の発光源に対し行い、前記各年齢層固有の視覚的な特性に合致する、年齢層ごとの視認性を特徴付ける色相の光を、前記年齢層ごとに異なるタイミングと前記繰り返し周期で発生させ、前記各年齢層を含む広範囲な年齢層に対する視認性を向上させた光を発生させる、
ことを特徴とする誘導灯駆動装置。
【請求項６】
複数の原色光の発光源を備えた誘導灯の誘導灯駆動装置であって、
各年齢層固有の視覚的な特性に合致する、前記各年齢層ごとの視認性を特徴付ける光についての属性を記憶する記憶手段と、
前記記憶手段に記憶した前記各年齢層ごとの視認性を特徴付ける光についての属性をもとに、前記誘導灯の複数の原色光の発光源を制御し、前記各年齢層を含む広範囲な年齢層に対する視認性を向上させた光を発生させる発光源制御手段とを備え、
前記各年齢層ごとの視認性を特徴付ける光についての属性は、前記各年齢層固有の視覚的な特性に合致する、年齢層ごとの視認性を特徴付ける色相と、その色相の光が発光する繰り返し周期と、発光期間とを含み、
前記発光源制御手段は、前記発光源から発せられる各原色光の強さと発光のタイミングとを調整する制御を前記複数の原色光の発光源に対し行い、前記各年齢層固有の視覚的な特性に合致する、年齢層ごとの視認性を特徴付ける色相の光を、前記年齢層ごとに異なるタイミングと前記繰り返し周期と前記発光期間で発生させ、前記各年齢層を含む広範囲な年齢層に対する視認性を向上させた光を発生させる、
ことを特徴とする誘導灯駆動装置。
【発明の詳細な説明】
【技術分野】
【０００１】
本発明は、視認性を向上できる誘導灯の誘導灯駆動方法および誘導灯駆動装置に関する。
【背景技術】
【０００２】
従来の誘導灯は、路面あるいは路肩に設置され自動車を含む移動体運転者に対し走行案内を行なったり、あるいは屋内に設置され非常時の非難経路や非難する方向を視覚的に示すことを目的に設置される。
このような誘導灯、特に前者の誘導灯としては、高速道路や一般道路の路面、壁面あるいは路肩に連続的に設置され走行する自動車やバイクの運転者に対し危険箇所であることを光で知らせたり、走行方向や道路のカーブの方向を光にて知らせる表示器がある。このような表示器は、例えば赤色、緑色、青色などの単一色の光を発生させる光源を用いている。
また、後者の誘導灯としては、デパート、スーパーマーケット、映画館など人の多数集まる建物内の非常時の避難経路や出口を視覚的に表示するための非常灯などがある。
このような非常灯は、例えば蛍光管による白色の文字を緑色の盤面に表示させ、火災などの煙による視界不良環境においても視認性を向上させるようにしている。
【０００３】
一方、わが国においては、人口構成の高齢者が占める割合が年々増加する傾向にある。このため、自動車を運転するドライバー、デパート、スーパーマーケット、映画館などの来訪者における高齢者の増加は避けることが出来ない状況にある。
さらに、このような高齢者においては、加齢による視覚障害を大なり小なり抱えている場合が多い。
高齢者が抱える視覚障害としては例えば老人性白内障がある。老人性白内障が進行した状態では、眼球の水晶体が白濁し、内部に黄色や黄橙色の色素が残留するようになって網膜への光到達率が悪化する。
加齢による視覚障害はある意味では老化現象であって、高齢者にとっては避けることが出来ない現象であるが、高齢者でなくともこのような白内障を含む視覚障害を抱えている視覚障害者も存在している。
このような加齢による視覚障害を含む視覚障害者による自動車やバイクの運転、建物内での避難誘導において安全性を確保するためには、これら視覚障害者特有の視覚特性に対応した誘導灯や表示器を設置する必要があると考えられる。
【０００４】
このような視覚障害者に対し視認性を向上させた誘導灯としては、路面に埋め込まれ、通行を誘導し、あるいは注意を喚起する誘導灯において、上面に光透過部を有する筐体と、筐体内の光透過部下側に設けられ、筐体の光透過部を面発光させる第１の発光素子と、筐体内の光透過部下側に設けられ、筐体の光透過部から斜め上方に向けて指向性のある光を投射する第２の発光素子と、周囲の暗さに応動して上記第１、第２の発光素子を発光させる制御回路とから構成した誘導灯がある（特許文献１参照）。
【特許文献１】特開２００６−１４４３４３号公報
【発明の開示】
【発明が解決しようとする課題】
【０００５】
したがって、従来の誘導灯においては、視覚障害者にとって最適な強さで発光させることで視覚障害者における視認性を向上させるものであって、視覚障害者特有の視覚特性として弱視や視野狭窄などを想定しており、白内障を含む広範囲な視覚障害には対応できない課題があった。
【０００６】
本発明は、このような事情に鑑みてなされたものであり、その目的は、広範囲な年齢層に対し誘導灯の視認性を向上させることの出来る誘導灯駆動方法および誘導灯駆動装置を提供することにある。
【課題を解決するための手段】
【０００７】
上記目的を達成するために、本発明は、複数の原色光の発光源を備えた誘導灯の広範囲な年齢層に対する視認性を向上させるための誘導灯駆動方法であって、各年齢層固有の視覚的な特性に合致する、前記各年齢層ごとの視認性を特徴付ける光についての属性を記憶するステップと、前記記憶した前記各年齢層ごとの視認性を特徴付ける光についての属性をもとに、前記誘導灯の複数の原色光の発光源を制御し、前記広範囲な年齢層に対する視認性を向上させた光を発生させるステップとを備え、前記各年齢層ごとの視認性を特徴付ける光についての属性は、前記各年齢層固有の視覚的な特性に合致する、年齢層ごとの視認性を特徴付ける色相を含み、前記広範囲な年齢層に対する視認性を向上させた光を発生させるステップは、前記発光源から発せられる各原色光の強さを調整する制御を前記複数の原色光の発光源に対し行い、前記各年齢層固有の視覚的な特性に合致する、年齢層ごとの視認性を特徴付ける色相の光を、前記年齢層ごとに異なるタイミングで発生させることを特徴とする。
また、本発明は、複数の原色光の発光源を備えた誘導灯の広範囲な年齢層に対する視認性を向上させるための誘導灯駆動方法であって、各年齢層固有の視覚的な特性に合致する、前記各年齢層ごとの視認性を特徴付ける光についての属性を記憶するステップと、前記記憶した前記各年齢層ごとの視認性を特徴付ける光についての属性をもとに、前記誘導灯の複数の原色光の発光源を制御し、前記広範囲な年齢層に対する視認性を向上させた光を発生させるステップとを備え、前記各年齢層ごとの視認性を特徴付ける光についての属性は、前記各年齢層固有の視覚的な特性に合致する、年齢層ごとの視認性を特徴付ける色相と、その色相の光が発光する繰り返し周期とを含み、前記広範囲な年齢層に対する視認性を向上させた光を発生させるステップは、前記発光源から発せられる各原色光の強さと発光のタイミングとを調整する制御を前記複数の原色光の発光源に対し行い、前記各年齢層固有の視覚的な特性に合致する、年齢層ごとの視認性を特徴付ける色相の光を、前記年齢層ごとに異なるタイミングと前記繰り返し周期で発生させることを特徴とする。
また、本発明は、複数の原色光の発光源を備えた誘導灯の広範囲な年齢層に対する視認性を向上させるための誘導灯駆動方法であって、各年齢層固有の視覚的な特性に合致する、前記各年齢層ごとの視認性を特徴付ける光についての属性を記憶するステップと、前記記憶した前記各年齢層ごとの視認性を特徴付ける光についての属性をもとに、前記誘導灯の複数の原色光の発光源を制御し、前記広範囲な年齢層に対する視認性を向上させた光を発生させるステップとを備え、前記各年齢層ごとの視認性を特徴付ける光についての属性は、前記各年齢層固有の視覚的な特性に合致する、年齢層ごとの視認性を特徴付ける色相と、その色相の光が発光する繰り返し周期と、発光期間とを含み、前記広範囲な年齢層に対する視認性を向上させた光を発生させるステップは、前記発光源から発せられる各原色光の強さと発光のタイミングとを調整する制御を、前記複数の原色光の発光源に対し行い、前記各年齢層固有の視覚的な特性に合致する、年齢層ごとの視認性を特徴付ける色相の光を、前記年齢層ごとに異なるタイミングと前記繰り返し周期と前記発光期間で発生させることを特徴とする。
【０００８】
上記目的を達成するために本発明は、複数の原色光の発光源を備えた誘導灯の誘導灯駆動装置であって、各年齢層固有の視覚的な特性に合致する、前記各年齢層ごとの視認性を特徴付ける光についての属性を記憶する記憶手段と、前記記憶手段に記憶した前記各年齢層ごとの視認性を特徴付ける光についての属性をもとに、前記誘導灯の複数の原色光の発光源を制御し、前記各年齢層を含む広範囲な年齢層に対する視認性を向上させた光を発生させる発光源制御手段とを備え、前記各年齢層ごとの視認性を特徴付ける光についての属性は、前記各年齢層固有の視覚的な特性に合致する、年齢層ごとの視認性を特徴付ける色相を含み、前記発光源制御手段は、前記発光源から発せられる各原色光の強さを調整する制御を前記複数の原色光の発光源に対し行い、前記各年齢層固有の視覚的な特性に合致する、年齢層ごとの視認性を特徴付ける色相の光を、前記年齢層ごとに異なるタイミングで発生させ、前記各年齢層を含む広範囲な年齢層に対する視認性を向上させた光を発生させることを特徴とする。
また、本発明は、複数の原色光の発光源を備えた誘導灯の誘導灯駆動装置であって、
各年齢層固有の視覚的な特性に合致する、前記各年齢層ごとの視認性を特徴付ける光についての属性を記憶する記憶手段と、前記記憶手段に記憶した前記各年齢層ごとの視認性を特徴付ける光についての属性をもとに、前記誘導灯の複数の原色光の発光源を制御し、前記各年齢層を含む広範囲な年齢層に対する視認性を向上させた光を発生させる発光源制御手段とを備え、前記各年齢層ごとの視認性を特徴付ける光についての属性は、前記各年齢層固有の視覚的な特性に合致する、年齢層ごとの視認性を特徴付ける色相と、その色相の光が発光する繰り返し周期とを含み、前記発光源制御手段は、前記発光源から発せられる各原色光の強さと発光のタイミングとを調整する制御を前記複数の原色光の発光源に対し行い、前記各年齢層固有の視覚的な特性に合致する、年齢層ごとの視認性を特徴付ける色相の光を、前記年齢層ごとに異なるタイミングと前記繰り返し周期で発生させ、前記各年齢層を含む広範囲な年齢層に対する視認性を向上させた光を発生させることを特徴とする。
また、本発明は、複数の原色光の発光源を備えた誘導灯の誘導灯駆動装置であって、各年齢層固有の視覚的な特性に合致する、前記各年齢層ごとの視認性を特徴付ける光についての属性を記憶する記憶手段と、前記記憶手段に記憶した前記各年齢層ごとの視認性を特徴付ける光についての属性をもとに、前記誘導灯の複数の原色光の発光源を制御し、前記各年齢層を含む広範囲な年齢層に対する視認性を向上させた光を発生させる発光源制御手段とを備え、前記各年齢層ごとの視認性を特徴付ける光についての属性は、前記各年齢層固有の視覚的な特性に合致する、年齢層ごとの視認性を特徴付ける色相と、その色相の光が発光する繰り返し周期と、発光期間とを含み、前記発光源制御手段は、前記発光源から発せられる各原色光の強さと発光のタイミングとを調整する制御を前記複数の原色光の発光源に対し行い、前記各年齢層固有の視覚的な特性に合致する、年齢層ごとの視認性を特徴付ける色相の光を、前記年齢層ごとに異なるタイミングと前記繰り返し周期と前記発光期間で発生させ、前記各年齢層を含む広範囲な年齢層に対する視認性を向上させた光を発生させることを特徴とする。
【発明の効果】
【０００９】
このような本発明の誘導灯駆動方法および誘導灯駆動装置によれば、広範囲な年齢層に対し誘導灯の視認性を向上させることの出来る誘導灯駆動方法および誘導灯駆動装置を提供できる効果がある。
【発明を実施するための最良の形態】
【００１０】
次に、本発明の実施の形態による誘導灯駆動方法および誘導灯駆動装置について図面を参照して説明する。
図１は、本発明の実施の形態による誘導灯駆動方法が適用される誘導灯駆動装置の構成を示す回路図である。
この誘導灯駆動装置は誘導灯１１を駆動する回路である。
誘導灯１１は、赤色発光源である赤色発光ダイオード１、緑色発光源である緑色発光ダイオード２および青色発光源である青色発光ダイオード３を備えている。
誘導灯駆動装置は、赤色発光ダイオード１、緑色発光ダイオード２および青色発光ダイオード３をそれぞれ制御、駆動し、高齢者を含む広い年齢層の人々が容易に視認できる波長域の光を発生させ、特に通常では困難な白内障を含む視覚障害を抱えた高齢者にとって見やすい色相の光による誘導灯を実現できるようになっている。
さらに、誘導灯駆動装置によって、赤色発光ダイオード１、緑色発光ダイオード２および青色発光ダイオード３をそれぞれ間欠的に制御、駆動することで省電力化を実現できる。
【００１１】
ここで、高齢者にとって容易に視認可能な波長域の光について説明する。
高齢者にとって判別しやすい色相は、例えば赤、橙、黄、緑などの色相である。この赤から、橙、黄、緑までの色相の光の波長域はλ１〜λ２である。
これに対して、高齢者にとって判別しにくい色相は、例えば短波長域の青紫や青などの色相である。この青から青紫までの色相の光の波長域はλ７〜λ８である。
このような高齢者の視覚的な特性は、白内障を含む視覚障害を抱えた高齢者、さらにはこのような特別な視覚障害を抱えていない健常者である多数の高齢者からアンケートをとったり、あらゆる色相の光を発生させその視認性を判定する実証的な実験に多数の高齢者に参加していただくことで明らかにする。
【００１２】
また、中年層の運転者にとって判別しやすい色相は、例えば赤、橙、黄、緑、青などの色相である。この赤、橙、黄、緑、青までの色相の光の波長域はλ３〜λ４である。
これに対して、中年層にとって判別しにくい色相は、例えば短波長域の青紫、紫などの色相である。この青紫、紫などの色相の光の波長域はλ７である。
このような中年層の視覚的な特性は、多数の中年層からアンケートをとったり、あらゆる色相の光を発生させその視認性を判定する実証的な実験に多数の中年に参加していただくことで明らかにする。
【００１３】
また、若年層の運転者にとって判別しやすい色相は、例えば赤、橙、黄、緑、青、青紫などの色相である。この赤、橙、黄、緑、青、青紫までの色相の光の波長域はλ５〜λ６である。
これに対して、若年層にとって判別しにくい色相は、例えば短波長域の紫などの色相である。この紫などの色相の光の波長域はλ８である。
このような若年層の視覚的な特性は、多数の若年層からアンケートをとったり、あらゆる色相の光を発生させその視認性を判定する実証的な実験に多数の若年者に参加していただくことで明らかにする。
【００１４】
図１に示すように、この誘導灯駆動装置は、パルス駆動回路４、色相制御回路５および制御部６を備えている。
パルス駆動回路４は、周期制御信号Ｖｔおよびパルス幅制御信号Ｐｔをもとに、赤色発光ダイオード１、緑色発光ダイオード２および青色発光ダイオード３を駆動する際のパルス幅と周期を規定する駆動信号を生成する回路である。
色相制御回路５は、赤色発光ダイオード１の駆動電流の大きさを制御する駆動電流制御回路２１と、緑色発光ダイオード２の駆動電流の大きさを制御する駆動電流制御回路２２と、青色発光ダイオード３の駆動電流の大きさを制御する駆動電流制御回路２３とを備えている。
駆動電流制御回路２１は、色相制御信号Ｓｒをもとに赤色発光ダイオード１の駆動電流の大きさを制御する。
駆動電流制御回路２２は、色相制御信号Ｓｇをもとに緑色発光ダイオード２の駆動電流の大きさを制御する。
駆動電流制御回路２３は、色相制御信号Ｓｂをもとに青色発光ダイオード３の駆動電流の大きさを制御する。
制御部６は、例えばマイクロコンピュータにより構成されており、マイクロコンピュータのＲＯＭにはテーブルＴＢＬと、発光ダイオード駆動プログラムＰｒｏが格納されている。
図２は、テーブルＴＢＬを示す説明図である。図４は、発光ダイオード駆動プログラムＰｒｏを示すフローチャートである。
図４に示す発光ダイオード駆動プログラムＰｒｏは、赤色発光ダイオード１、緑色発光ダイオード２、青色発光ダイオード３の各駆動電流を制御し、誘導灯１１において色相１、色相２、色相３の光を生成するためのプログラムである。
【００１５】
図３は、前記発光ダイオード駆動プログラムによる赤色発光ダイオード１、緑色発光ダイオード２、青色発光ダイオード３の各駆動電流の制御パターンを示すタイミングチャートである。
【００１６】
また、テーブルＴＢＬには、高齢者固有の視覚的な特性に合致する、高齢者の視認性を特徴付ける光についての属性データが格納されている。
詳細に説明すると、前記属性データは、高齢者用のパターンの色相１の光（波長域λ１〜λ２）を生成するためのパルス幅Ｐｔ１、周期Ｔ１、波長域λ１〜λ２の色相の光を生成するための赤色発光ダイオード１、緑色発光ダイオード２、青色発光ダイオード３の各駆動電流についての重み付けデータ、Ｓｒ：５０％、Ｓｇ：１００％、Ｓｂ：９０％などの各パラメータを含んで構成されている。
これらパラメータは、多数の高齢者からアンケートをとったり、あらゆる色相の光を発生させその視認性を判定する実証的な実験に多数の高齢者に参加していただくことで明らかになった、特に高齢者に対し視認性を向上できる色相を実現する赤色発光ダイオード１、緑色発光ダイオード２、青色発光ダイオード３の駆動電流についてのデータである。
【００１７】
また、テーブルＴＢＬには、中年層固有の視覚的な特性に合致する、中年層の視認性を特徴付ける光についての属性データが格納されている。
詳細に説明すると、前記属性データは、中年層用のパターンの色相２の光（波長域λ３〜λ４）を生成するためのパルス幅Ｐｔ２、周期Ｔ１、波長域λ３〜λ４の色相の光を生成するための赤色発光ダイオード１、緑色発光ダイオード２、青色発光ダイオード３の各駆動電流についての重み付けデータ、Ｓｒ：４０％、Ｓｇ：３０％、Ｓｂ：１００％などの各パラメータを含んで構成されている。
これらパラメータは、多数の中年層からアンケートをとったり、あらゆる色相の光を発生させその視認性を判定する実証的な実験に多数の中年層に参加していただくことで明らかになった、特に中年層に対し視認性を向上できる色相を実現する赤色発光ダイオード１、緑色発光ダイオード２、青色発光ダイオード３の駆動電流についてのデータである。
【００１８】
また、テーブルＴＢＬには、若年層固有の視覚的な特性に合致する、若年層の視認性を特徴付ける光についての属性データが格納されている。
詳細に説明すると、前記属性データは、若年層用のパターンの色相３の光（波長域λ５〜λ６）を生成するためのパルス幅Ｐｔ３、周期Ｔ１、波長域λ５〜λ６の色相の光を生成するための赤色発光ダイオード１、緑色発光ダイオード２、青色発光ダイオード３の各駆動電流についての重み付けデータ、Ｓｒ：１００％、Ｓｇ：１０％、Ｓｂ：１００％などの各パラメータを含んで構成されている。
これらパラメータは、多数の若年層からアンケートをとったり、あらゆる色相の光を発生させその視認性を判定する実証的な実験に多数の若年層に参加していただくことで明らかになった、特に若年層に対し視認性を向上できる色相を実現する赤色発光ダイオード１、緑色発光ダイオード２、青色発光ダイオード３の駆動電流についてのデータである。
なお、周期Ｔ１については各年齢層に応じて異なる値になる場合もある。さらに周期Ｔ１については、赤色発光ダイオード１、緑色発光ダイオード２、青色発光ダイオード３を間欠的に駆動することになることから消費電力削減についても期待できる。
【００１９】
次に動作について説明する。
図４は、この誘導灯駆動方法が適用される誘導灯駆動装置の動作を示す発光ダイオード駆動プログラムである。以下、図１に示す誘導灯駆動装置の回路図と、図４に示すフローチャートを参照して動作について説明する。
図４に示す発光ダイオード駆動プログラムによれば、先ず、図３のタイミングチャートの（ａ）で示す高齢者にとってもっとも視認しやすいパターン、色相で誘導灯１１が光るように赤色発光ダイオード１、緑色発光ダイオード２および青色発光ダイオード３の各駆動電流を制御し、高齢者用の色相１の光（波長域λ１〜λ２）を生成する（ステップＳ１）。
次に、図３のタイミングチャートの（ｂ）で示す中年層にとってもっとも視認しやすいパターン、色相で誘導灯１１が光るように赤色発光ダイオード１、緑色発光ダイオード２および青色発光ダイオード３の各駆動電流を制御し、中年層用の色相２の光（波長域λ３〜λ４）を生成する（ステップＳ２）。
次に、図３のタイミングチャートの（ｃ）で示す若年層にとってもっとも視認しやすいパターン、色相で誘導灯１１が光るように赤色発光ダイオード１、緑色発光ダイオード２および青色発光ダイオード３の各駆動電流を制御し、若年層用の色相３の光（波長域λ５〜λ６）を生成する（ステップＳ３）。
【００２０】
ここでステップＳ１の高齢者用の色相１の光の生成について詳細に説明する。
制御部６のマイクロコンピュータのＣＰＵはテーブルＴＢＬを参照し、高齢者についてあらかじめ収集されテーブルＴＢＬに格納されたデータであるパルス幅Ｐｔ１と周期Ｔ１を読み出し、パルス幅Ｐｔ１に応じたパルス幅制御信号Ｐｔを生成し、また周期Ｔ１に応じた周期制御信号Ｖｔを生成し、パルス駆動回路４に出力する。
パルス駆動回路４では、前記パルス幅制御信号Ｐｔと前記周期制御信号Ｖｔをもとに、図３（ａ）に示す周期Ｔ１、パルス幅Ｐｔ１のオン／オフのタイミングで、例えば発光ダイオード駆動トランジスタをオン／オフし、赤色発光ダイオード１、緑色発光ダイオード２、青色発光ダイオード３の各アノードに電源を供給する。
さらに、制御部６のマイクロコンピュータのＣＰＵはテーブルＴＢＬを参照し、高齢者にとってもっとも視認しやすいλ１〜λ２の波長域の色相の光を生成するための赤色発光ダイオード１、緑色発光ダイオード２および青色発光ダイオード３の各駆動電流の重み付けを制御する赤、緑、青についての重み付けデータＳｒ：５０％、Ｓｇ：１００％、Ｓｂ：９０％をテーブルＴＢＬから読み出す。
そして、この重み付けデータをもとに色相制御信号Ｓｒ、Ｓｇ、Ｓｂを生成して色相制御回路５に出力する。
色相制御回路５では、駆動電流制御回路２１が色相制御信号Ｓｒにより赤色発光ダイオード１の駆動電流を制御し、赤色発光ダイオード１の駆動電流を定格電流値の５０％に制御する。
また、駆動電流制御回路２２が色相制御信号Ｓｇにより緑色発光ダイオード２の駆動電流を制御し、緑色発光ダイオード２の駆動電流を定格電流値の１００％に制御する。
また、駆動電流制御回路２３が色相制御信号Ｓｂにより青色発光ダイオード３の駆動電流を制御し、青色発光ダイオード３の駆動電流を定格電流値の９０％に制御する。
この結果、図３（ａ）に示すタイミングで赤色発光ダイオード１、緑色発光ダイオード２，青色発光ダイオード３はそれぞれ駆動電流が制御されて駆動され、高齢者用の色相１の光の生成が行われ、高齢者用の色相１で誘導灯は光ることになる。
【００２１】
次に、ステップＳ２の中年層用の色相２の光の生成について詳細に説明する。
制御部６のマイクロコンピュータのＣＰＵはテーブルＴＢＬを参照し、中年層についてあらかじめ収集されテーブルＴＢＬに格納されたデータであるパルス幅Ｐｔ１と周期Ｔ１を読み出し、パルス幅Ｐｔ２に応じたパルス幅制御信号を生成し、また周期Ｔ１に応じた周期制御信号Ｖｔを生成し、パルス駆動回路４に出力する。
パルス駆動回路４では、前記パルス幅制御信号と前記周期制御信号をもとに、図３（ｂ）に示す周期Ｔ１、パルス幅Ｐｔ２のオン／オフのタイミングで、例えば発光ダイオード駆動トランジスタをオン／オフし、赤色発光ダイオード１、緑色発光ダイオード２、青色発光ダイオード３の各アノードに電源を供給する。
さらに、制御部６のマイクロコンピュータのＣＰＵはテーブルＴＢＬを参照し、中年層にとってもっとも視認しやすいλ３〜λ４の波長域の色相の光を生成するための赤色発光ダイオード１、緑色発光ダイオード２および青色発光ダイオード３の各駆動電流の重み付けを制御する赤、緑、青についての重み付けデータＳｒ：４０％、Ｓｇ：３０％、Ｓｂ：１００％をテーブルＴＢＬから読み出す。
そして、この重み付けデータをもとに色相制御信号Ｓｒ、Ｓｇ、Ｓｂを生成して色相制御回路５に出力する。
色相制御回路５では、駆動電流制御回路２１が色相制御信号Ｓｒにより赤色発光ダイオード１の駆動電流を制御し、赤色発光ダイオード１の駆動電流を定格電流値の４０％に制御する。
また、駆動電流制御回路２２が色相制御信号Ｓｇにより緑色発光ダイオード２の駆動電流を制御し、緑色発光ダイオード２の駆動電流を定格電流値の３０％に制御する。
また、駆動電流制御回路２３が色相制御信号Ｓｂにより青色発光ダイオード３の駆動電流を制御し、青色発光ダイオード３の駆動電流を定格電流値の１００％に制御する。
この結果、図３（ｂ）に示すタイミングで赤色発光ダイオード１、緑色発光ダイオード２，青色発光ダイオード３はそれぞれ駆動電流が制御されて駆動され、中年層用の色相２の光の生成が行われ、中年層用の色相２で誘導灯は光ることになる。
【００２２】
次に、ステップＳ３の若年層用の色相３の光の生成について詳細に説明する。
制御部６のマイクロコンピュータのＣＰＵはテーブルＴＢＬを参照し、若年層についてあらかじめ収集されテーブルＴＢＬに格納されたデータであるパルス幅Ｐｔ１と周期Ｔ１を読み出し、パルス幅Ｐｔ２に応じたパルス幅制御信号を生成し、また周期Ｔ１に応じた周期制御信号Ｖｔを生成し、パルス駆動回路４に出力する。
パルス駆動回路４では、前記パルス幅制御信号と前記周期制御信号をもとに、図３（ｃ）に示す周期Ｔ１、パルス幅Ｐｔ３のオン／オフのタイミングで、例えば発光ダイオード駆動トランジスタをオン／オフし、赤色発光ダイオード１、緑色発光ダイオード２、青色発光ダイオード３の各アノードに電源を供給する。
さらに、制御部６のマイクロコンピュータのＣＰＵはテーブルＴＢＬを参照し、若年層にとってもっとも視認しやすいλ３〜λ４の波長域の色相の光を生成するための赤色発光ダイオード１、緑色発光ダイオード２および青色発光ダイオード３の各駆動電流の重み付けを制御する赤、緑、青についての重み付けデータＳｒ：１００％、Ｓｇ：１０％、Ｓｂ：１００％をテーブルＴＢＬから読み出す。
そして、この重み付けデータをもとに色相制御信号Ｓｒ、Ｓｇ、Ｓｂを生成して色相制御回路５に出力する。色相制御回路５では、駆動電流制御回路２１が色相制御信号Ｓｒにより赤色発光ダイオード１の駆動電流を制御し、赤色発光ダイオード１の駆動電流を定格電流値の１００％に制御する。
また、駆動電流制御回路２２が色相制御信号Ｓｇにより緑色発光ダイオード２の駆動電流を制御し、緑色発光ダイオード２の駆動電流を定格電流値の１０％に制御する。
また、駆動電流制御回路２３が色相制御信号Ｓｂにより青色発光ダイオード３の駆動電流を制御し、青色発光ダイオード３の駆動電流を定格電流値の１００％に制御する。
この結果、図３（ｃ）に示すタイミングで赤色発光ダイオード１、緑色発光ダイオード２，青色発光ダイオード３はそれぞれ駆動電流が制御されて駆動され、若年層用の色相３の光の生成が行われ、若年層用の色相３で誘導灯は光ることになる。
【００２３】
したがって、誘導灯１１は、図３（ａ）、（ｂ）、（ｃ）のタイミングチャートに示すオン/オフのタイミングで、色相１、色相２、色相３の光を順次発生させる。
【００２４】
以上のように、この実施の形態によれば、誘導灯１１は、高齢者にとって視認性を向上させる色相１の光、中年層にとって視認性を向上させる色相２の光、若年層にとって視認性を向上させる色相３の光で、図３に示すタイミングで順次点灯する。このため、広範囲な視覚障害に対応できるだけでなく、広範囲な年齢層に対し誘導灯の視認性を向上させることの出来る誘導灯駆動方法および誘導灯駆動装置を提供できる効果がある。
【図面の簡単な説明】
【００２５】
【図１】本発明の実施の形態による誘導灯駆動方法が適用される誘導灯駆動装置の構成を示す回路図である。
【図２】本発明の実施の形態による誘導灯駆動方法が適用される誘導灯駆動装置のテーブルＴＢＬを示す説明図である。
【図３】本発明の実施の形態による誘導灯駆動方法が適用される誘導灯駆動装置の発光ダイオード駆動プログラムによる赤色発光ダイオード、緑色発光ダイオード、青色発光ダイオードの各駆動電流の制御パターンを示すタイミングチャートである。
【図４】本発明の実施の形態による誘導灯駆動方法が適用される誘導灯駆動装置の発光ダイオード駆動プログラムを示すフローチャートである。
【符号の説明】
【００２６】
１……赤色発光ダイオード（発光源）、２……緑色発光ダイオード（発光源）、３……青色発光ダイオード（発光源）、４……パルス駆動回路（発光制御手段）、５……色相制御回路（発光制御手段）、６……制御部（発光制御手段、記憶手段）、１１……誘導灯、
ＴＢＬ……テーブル（記憶手段）、２１，２２，２３……駆動電流制御回路（発光制御手段）。
【図１】
0005202994.tif 000002
【図２】
0005202994.tif 000003
【図３】
0005202994.tif 000004
【図４】
0005202994.tif 000005